(57)【特許請求の範囲】
【請求項１】
温度差のある空間を仕切る仕切壁に設けられた出入口に設置されるエアーカーテン装置であって、
前記出入口が、当該出入口の高さ方向上半分に設けられた上部出入口と、前記出入口の高さ方向下半分に設けられた下部出入口とに区画され、
前記上部出入口に暖気処理部が設けられ、前記下部出入口に冷気処理部が設けられ、
前記暖気処理部は、高温側の前記空間から暖気を吸い込む上部吸込口と、この上部吸込口によって吸い込まれた暖気を上方から下方に向けて吹き出すことによって前記上部出入口を下方に縦断する暖気による上部エアーカーテン気流を形成する上部吹出しノズルとを備え、
前記冷気処理部は、下部出入口を横断するような下部エアーカーテン気流によって循環気流が形成されるように構成されていることを特徴とするエアーカーテン装置。
【請求項２】
前記上部吹出しノズルの暖気の吹き出し方向は、前記上部エアーカーテン気流が、上部出入口を縦断するとともに上部出入口の下端部の近傍から高温側の空間に向かうように設定されていることを特徴とする請求項１に記載のエアーカーテン装置。
【発明の詳細な説明】
【技術分野】
【０００１】
本発明は、温度差のある空間を仕切る仕切壁に設けられた出入口に設置されて、冷気または暖気の外部流出や暖気または冷気の内部流入を遮断するエアーカーテン装置に関する。
【背景技術】
【０００２】
このようなエアーカーテン装置の一例として、特許文献１に記載のものが知られている。このエアーカーテン装置は、温度差のある出入口の開口部に設けられて、空気の流通を遮断するものであり、出入口の高さに応じて開口空域の中間無風域を挟んで存在する、上部の暖気流入域と下部の冷気流出域に対し、それぞれ暖気遮断域と冷気遮断域を設け、前記暖気遮断域に設けた暖気遮断流路と前記冷気遮断域に設けた冷気遮断流路とよりなる循環遮断流路を構成したものである。
具体的には、温度差のある出入口の開口部の両脇に隣接して設けた冷気遮断脚柱と該脚柱の対向位置に設けた暖気遮断脚柱と天井板とよりなる門型構造体を構成し、冷気遮断脚柱は、下部吹き出しノズルとその上部に吸込口を有し、内部には下部吹き出しファンと前記吸込口とを結び循環空気を運ぶ吸込ダクトを内蔵させ、一方、前記暖気遮断脚柱は、上部吹き出しノズルとその下部に連設した吸込口とを有し、内部には上部吹き出しファンと前記吸込口とを結び循環空気を運ぶ吸込ダクトを内蔵している。
【０００３】
このようなエアーカーテン装置では、暖気遮断脚柱の上部吹き出しノズルを介して送り出された高速気流は、暖気遮断域において暖気遮断流路を形成し、前記高速気流は、対向側の冷気遮断脚柱の吸込口より吸引され、吸込ダクトを介して下部吹き出しファンを経て下部吹き出しノズルに導入され、低速気流として、冷気遮断域において冷気遮断流路を形成する。前記低速気流は、対向側の暖気遮断脚柱の吸込口より吸入され、吸込ダクトを介して上部吹き出しファンに導入され、循環遮断流路を形成する。
このように、暖気を遮断する暖気遮断流路と冷気を遮断する冷気遮断流路により循環遮断流路を形成して同一循環空気の使用により室内との温度差を少なくして白煙の発生や結露の発生を防止している。
【先行技術文献】
【特許文献】
【０００４】
【特許文献１】特開２００４−７７１１３号公報
【発明の概要】
【発明が解決しようとする課題】
【０００５】
ところが前記従来のエアーカーテン装置では、冷気遮断脚柱に設けられた下部吹き出しファンによって吹き出される気流が低速であるので、出入口の幅が広くなると、この低速気流の到達側つまり暖気遮断脚柱付近で風速が弱まってしまい、冷気の外部流出や暖気の内部流入が増大するおそれがある。
【０００６】
本発明は、前記事情に鑑みてなされたもので、冷気または暖気の外部流出や暖気または冷気の内部流入の増大を抑制できるエアーカーテン装置を提供することを目的とする。
【課題を解決するための手段】
【０００７】
前記目的を達成するために、本発明のエアーカーテン装置は、温度差のある空間を仕切る仕切壁に設けられた出入口に設置されるエアーカーテン装置であって、
前記出入口が、当該出入口の上部に設けられた上部出入口と、前記出入口の下部に設けられた下部出入口とに区画され、
前記上部出入口に暖気処理部が設けられ、前記下部出入口に冷気処理部が設けられ、
前記暖気処理部は、高温側の前記空間から暖気を吸い込む上部吸込口と、この上部吸込口によって吸い込まれた暖気を上方から下方に向けて吹き出すことによって上部エアーカーテン気流を形成する上部吹出しノズルとを備え、
前記冷気処理部は、下部出入口を横断するような下部エアーカーテン気流によって循環気流が形成されるように構成されていることを特徴とする。
【０００８】
本発明においては、上部出入口においては、暖気処理部の上部吸込口から高温側の空間の暖気を吸込み、この暖気を上部吹出しノズルによって上方から下方に向けて吹き出すことで形成される上部エアーカーテン気流によって、暖気の内部流入または外部流出の増大を抑制できる。
また、上部エアーカーテン気流は、上方から下方に向けて吹き出されることによって形成されるので、上部出入口の幅（間口の幅）が大きくなっても、上部出入口の下端部での上部エアーカーテン気流の減速は少なく、このため暖気の内部流入または外部流出の増大を抑制できる。
また、下部出入口においては、エアーカーテン気流によって循環気流が形成されるので、冷気の外部流出の増大を抑制できる。
【０００９】
また、本発明の前記構成において、前記上部吹出しノズルの暖気の吹き出し方向は、前記上部エアーカーテン気流が、上部出入口を縦断するとともに上部出入口の下端部の近傍から高温側の空間に向かうように設定されていることが好ましい。
【発明の効果】
【００１０】
本発明によれば、冷気または暖気の外部流出や暖気または冷気の内部流入の増大を抑制できる。
【図面の簡単な説明】
【００１１】
【図１】本発明の第１実施の形態のエアーカーテン装置を示すもので、（ａ）はエアーカーテン装置の正面図、（ｂ）は平断面図、（ｃ）は（ａ）におけるＡ−Ａ線断面図である。
【図２】本発明の第２実施の形態のエアーカーテン装置を示すもので、（ａ）はエアーカーテン装置の正面図、（ｂ）は暖気処理部の平断面図、（ｃ）は冷気処理部の平断面図、（ｄ）は（ａ）におけるＡ−Ａ線断面図である。
【図３】本発明の第３実施の形態のエアーカーテン装置を示すもので、（ａ）はエアーカーテン装置の正面図、（ｂ）は暖気処理部の平断面図、（ｃ）は冷気処理部の平断面図、（ｄ）は（ａ）におけるＡ−Ａ線断面図である。
【図４】本発明の第４実施の形態のエアーカーテン装置を示すもので、（ａ）はエアーカーテン装置の正面図、（ｂ）は暖気処理部の断面図、（ｃ）は冷気処理部の平断面図、（ｄ）は（ａ）におけるＡ−Ａ線断面図である。
【図５】本発明の第５実施の形態のエアーカーテン装置を示すもので、（ａ）はエアーカーテン装置の正面図、（ｂ）は冷気処理部の平断面図、（ｃ）は（ａ）におけるＡ−Ａ線断面図である。
【図６】本発明の第６実施の形態のエアーカーテン装置を示すもので、（ａ）はエアーカーテン装置の正面図、（ｂ）は（ａ）におけるＡ−Ａ線断面図である。
【発明を実施するための形態】
【００１２】
以下、図面を参照して本発明の実施の形態について説明する。
（第１の実施の形態）
図１は第１の実施の形態のエアーカーテン装置Ａ１を示すもので、（ａ）はエアーカーテン装置Ａ１の正面図、（ｂ）は平断面図、（ｃ）は（ａ）におけるＡ−Ａ線断面図である。
【００１３】
エアーカーテン装置Ａ１は、温度差のある空間１、２を仕切る仕切壁Ｋに設けられた出入口３に設置されている。本実施の形態では、空間１は冷蔵室であり、空間２は外部空間となっている。したがって、空間１の方が空間２より低温となっている。
なお、仕切壁Ｋは、出入口３の幅方向と平行な仕切壁Ｋ１であってもよく、さらに、この仕切壁Ｋ１の前に、当該仕切壁Ｋ１との間に所定間隔を隔てて断熱壁Ｋ２を設け、この断熱壁Ｋ２と仕切壁Ｋ１との間に後述する第１気流形成装置５、ケーシング１２、第２気流形成装置２５、気流形成装置２５Ａ等を設けてもよい。また、このような仕切壁Ｋ１、断熱壁Ｋ２は、図示は省略するが以下の第２〜第６の実施の形態においても、仕切壁Ｋに代えて設けてもよい。
出入口３の両側部３ａ，３ｂのうち、一方の側部３ａには、第１気流形成装置５が設けられている。この第１気流形成装置５は、出入口３の上下方向に延在し、かつ断面矩形状の中空のケーシング５ａを備えており、このケーシング５ａの上下方向略中央部には隔壁５ｂが設けられている。この隔壁５ｂによって、ケーシング５ａの内部空間は、上部空間６ａと下部空間６ｂとに上下に区画されている。また、ケーシング５ａの上下開口は閉塞されている。
【００１４】
上部空間６ａと下部空間６ｂとには、それぞれモータで回転するファン７が隔壁８に取り付けられることによって設けられている。この隔壁８は、図１（ｂ）に示すように、上部空間６ａおよび下部空間６ｂをそれぞれ平面視において前後に区画するものであり、ファン７を回転させることによって、隔壁８より後側（空間１側）の空間８ａは陰圧となり、前側（空間２側）の空間８ｂは陽圧となる。
【００１５】
また、ケーシング５ａの出入口３の内側を向く側面には、第１吹出しノズル１０と、第１吸込口１１とが設けられている。第１吹出しノズル１０は、第１吸込口１１より空間（外部空間）２側に設けられている。したがって、第１吸込口１１は、ケーシング５ａの出入口３の内側を向く側面のうち、空間（冷蔵室）１寄りに設けられ、第１吹出しノズル１０は、空間（外部空間）２寄りに設けられている。また、第１吸込口１１には、塵、虫等の異物の侵入を防止するためのフィルターが設けられている。
そして、ファン７を回転させることによって、空間１の冷気を第１吸込口１１からケーシング５ａの上部空間６ａと下部空間６ｂとにそれぞれ吸い込み、この冷気を第１吹出しノズル１０から出入口３に向けて吹き出すようになっている。なお、ケーシング５ａに、整流板を設け、この整流板によって第１吹出しノズル１０から吹出される冷気を均一かつ一定速度で出入口３に吹き出すようにしてもよい。
【００１６】
第１吹出しノズル１０は、その先端部に上下に延在するスリット状の吹出口を有しており、この吹出口から冷気を平行に吹き出すことによって、出入口３を横方向に横断する冷気によるエアーカーテン気流ＡＫ１を形成するようになっている。
第１吹出しノズル１０の冷気の吹き出し方向は、エアーカーテン気流ＡＫ１が、出入口３を横断するとともに出入口３の他方の側部３ｂの近傍から低温側の空間１に向かうように設定されている。
ここで冷気によるエアーカーテン気流ＡＫ１の全てを低温側の空間１に向かわせるのは困難であるので、例えば、第１吹出しノズル１０から吹き出されるエアーカーテン気流ＡＫ１の８０％程度が側部３ｂの近傍から低温側の空間１に向かい、残りの２０％程度が外部に流出することになる。なお、このエアーカーテン気流の流入出の割合は、側部３ｂの近傍から低温側の空間１に向かうエアーカーテン気流を７０〜９０％程度に設定し、外部への流出を３０〜１０％程度に設定するのが好ましい。
【００１７】
このように第１吹出しノズル１０によって冷気によるエアーカーテン気流ＡＫ１を形成するには、第１吹出しノズル１０の空気（冷気）の吹き出し方向を、出入口３の間口方向（図１（ｂ）において左右方向）に対して空間（冷蔵室）１側に所定角度だけ傾ければよい。この傾き角度は出入口３の幅（間口）や吹き出し速度、吹き出し量等に応じて適宜設定される。
このため第１吹出しノズル１０は、鉛直軸まわりに正逆方向に回転可能に設けられ、これによって吹き出し方向を可変としている。第１吹出しノズル１０を回転させる場合、ステッピングモータ等によって自動制御で回転させるようにしてもよいし、手動で回転させるようにしてもよい。
【００１８】
また、出入口３の他方の側部３ｂには、ケーシング５ａと同様の断面矩形の中空状のケーシング１２が、ケーシング５ａと対向し、かつ当該ケーシング５ａと平行に設けられている。このケーシング１２の上下開口は閉塞されている。
また、ケーシング５ａとケーシング１２との上下端面には天井板１３が設けられ、これによって、エアーカーテン装置Ａ１は門形に形成されている。
ケーシング１２内には、前記ファン７やその他の電気設備用の配電盤１４が設けられている。
【００１９】
このようなエアーカーテン装置Ａ１では、ファン７を回転させることによって、第１吸込口１１から低温側の空間１の冷気ＣＡをケーシング５ａの上部空間６ａと下部空間６ｂとに吸込み、この冷気を第１吹出しノズル１０，１０から吹き出すことによって形成される冷気によるエアーカーテン気流ＡＫ１が、出入口３を横断するとともに他方の側部３ｂの近傍から低温側の空間１に向かうことによって、冷気によるエアーカーテン効果が生じる。
また、冷気によるエアーカーテン気流ＡＫ１によって誘引される高温側の空間２の暖気によるエアーカーテン気流ＡＫ２は出入口３またはその近傍を横断するとともに高温側の空間２に向かうことによって、暖気によるエアーカーテン効果が生じる。
さらに、出入口３の他方の側部３ｂの近傍において、前記冷気によるエアーカーテン気流ＡＫ１と暖気によるエアーカーテン気流ＡＫ２が遮られ、これら冷気によるエアーカーテン気流ＡＫ１と暖気によるエアーカーテン気流ＡＫ２との間で、空気が滞留する乱流域Ｒが生じるので、この乱流域Ｒによって他方の側部３ｂにおいてエアーカーテン効果が生じる。
このように、冷気および暖気によるエアーカーテン効果と乱流域Ｒエアーカーテン効果を得ることができるので、冷気の外部流出や暖気の内部流入（冷蔵室への流入）の増大を抑制できる。
【００２０】
なお、図１（ａ）では、図示の都合上、エアーカーテン気流ＡＫ１，ＡＫ２を上下に配置しているが実際は、冷気によるエアーカーテン気流ＡＫ１は空間１側寄りを、暖気によるエアーカーテン気流ＡＫ２が空間２側寄りを流れる。また、後述する図２（ａ）、図３（ａ）、図４（ａ）、図５（ａ）においても同様である。
また、図１において、エアーカーテン気流ＡＫ１は冷気による気流を示し、エアーカーテン気流ＡＫ２は暖気による気流を示し、実線の矢印で示す気流は、第１吹出しノズル１０から吹き出される気流を示し、破線の矢印で示す気流は、第１吹出しノズル１０から吹き出される気流によって誘引される誘引気流を示す。また、後述する図２〜図５においても同様である。
【００２１】
また、出入口３の他方の側部３ｂには、ファン、吹出しノズル、吸込口等を設ける必要がないので、当該側部３ｂに配電盤１４等の電気部品を内蔵するための収納ケース（ケーシング１２）を設置できる。したがって、配電盤１４等の電気部品を内蔵できるエアーカーテン装置Ａ１を容易に提供できる。
【００２２】
なお、本実施の形態では、第１吸込口１１から冷気が吸い込まれる場合を例にとって説明したが、第１吸込口１１から暖気が吸い込まれるようにしてもよい。この場合、第１吸込口を、第１吹出しノズルよる空間２側に設け、第１吹出しノズルの空気（暖気）の吹き出し方向を、第１吸込口から吸い込まれた暖気によるエアーカーテン気流が出入口３を横断するとともに他方の側部３ｂの近傍から高温側の前記空間に向かうように設定すればよい。
この場合でも、冷気および暖気によるエアーカーテン効果と乱流域によるエアーカーテン効果を得ることができるので、冷気の外部流出や暖気の内部流入の増大を抑制できる。
また、一方の空間を構成する室を他方の空間より高温に維持したい場合、第１吸込口から高温の室内の暖気を吸込み、この暖気を第１吹出しノズルから吹き出すように構成するのが好ましい。
【００２３】
（第２の実施の形態）
図２は第２の実施の形態のエアーカーテン装置Ａ２を示すもので、（ａ）はエアーカーテン装置Ａ２の正面図、（ｂ）は暖気処理部を示すもので、（ａ）におけるＢ−Ｂ線断面図、（ｃ）は冷気処理部を示すもので、（ａ）におけるＣ−Ｃ線断面図、（ｄ）は（ａ）におけるＡ−Ａ線断面図である。
【００２４】
本実施の形態のエアーカーテン装置Ａ２が前記エアーカーテン装置Ａ１と主に異なる点は、出入口３が上部出入口３Ｈと下部出入口３Ｌとに区画され、上部出入口３Ｈでは、第１気流形成装置５が、第１吸込口１１によって高温側の空間２から暖気を吸い込み、第１吹出しノズル１０から吹き出す暖気処理部ＷＤとされ、下部出入口３Ｌでは、第１気流形成装置５が、第１吸込口１１によって低温側の空間１から冷気を吸い込み、第１吹出しノズル１０から吹き出す冷気処理部ＣＤとされている点であるので、以下ではこの点について詳しく説明し、第１の実施の形態と共通の構成には同一符号を付してその説明を省略ないし簡略化する。
【００２５】
暖気処理部ＷＤでは、ケーシング５ａの上部出入口３Ｈの内側を向く側面に、第１吹出しノズル１０と、第１吸込口１１とが設けられている。第１吹出しノズル１０は、第１吸込口１１より空間（内部空間）１側に設けられている。したがって、第１吸込口１１は、ケーシング５ａの上部出入口３Ｈの内側を向く側面のうち、空間（外部空間）２寄りに設けられ、第１吹出しノズル１０は、空間（冷蔵室）１寄りに設けられている。
そして、ファン７を回転させることによって、空間２の暖気ＨＡを第１吸込口１１からケーシング５ａの上部空間６ａに吸い込み、この暖気ＨＡを第１吹出しノズル１０から出入口３に向けて吹き出すようになっている。
また、上部空間６ａにおいては、ファン７を回転させることによって、隔壁８より前側（空間２側）の空間８ａは陰圧となり、後側（空間１側）の空間８ｂは陽圧となる。
【００２６】
一方、冷気処理部ＣＤでは、ケーシング５ａの下部出入口３Ｌの内側を向く側面には、第１吹出しノズル１０と、第１吸込口１１とが設けられている。第１吹出しノズル１０は、第１吸込口１１より空間（外部空間）２側に設けられている。したがって、第１吸込口１１は、ケーシング５ａの下部出入口３Ｌの内側を向く側面のうち、空間（冷蔵室）１寄りに設けられ、第１吹出しノズル１０は、空間（外部空間）２寄りに設けられている。
そして、ファン７を回転させることによって、空間１の冷気ＣＡを第１吸込口１１からケーシング５ａの下部空間６ｂに吸い込み、この冷気ＣＡを第１吹出しノズル１０から下部出入口３Ｌに向けて吹き出すようになっている。
また、下部空間６ｂにおいては、ファン７を回転させることによって、隔壁８より後側（空間１側）の空間８ａは陰圧となり、前側（空間２側）の空間８ｂは陽圧となる。
【００２７】
暖気処理部ＷＤの第１吹出しノズル１０は、先端の吹出口から暖気を平行に吹き出すことによって、上部出入口３Ｈを横方向に横断する暖気によるエアーカーテン気流ＡＫ２を形成するようになっている。
第１吹出しノズル１０の暖気の吹き出し方向は、エアーカーテン気流ＡＫ２が、上部出入口３Ｈを横断するとともに上部出入口３Ｈの他方の側部３ｂの近傍から高温側の空間２に向かうように設定されている。
ここで暖気によるエアーカーテン気流ＡＫ２の全てを高温側の空間１に向かわせるのは困難であるので、例えば、第１吹出しノズル１０から吹き出されるエアーカーテン気流ＡＫ２の８０％程度が側部３ｂの近傍から高温側の空間２に向かい、残りの２０％程度が内部（冷蔵室）に流入することになる。なお、このエアーカーテン気流ＡＫ２の流出入の割合は、側部３ｂの近傍から高温側の空間２に向かうエアーカーテン気流を７０〜９０％程度に設定し、内部への流入を３０〜１０％程度に設定するのが好ましい。
【００２８】
一方、冷気処理部ＣＤの第１吹出しノズル１０は、先端の吹出口から冷気を平行に吹き出すことによって、下部出入口３Ｌを横方向に横断する冷気によるエアーカーテン気流ＡＫ１を形成するようになっている。
第１吹出しノズル１０の冷気の吹き出し方向は、エアーカーテン気流ＡＫ１が、下部出入口３Ｌを横断するとともに下部出入口３Ｌの他方の側部３ｂの近傍から低温側の空間１に向かうように設定されている。
ここで冷気によるエアーカーテン気流ＡＫ１の全てを低温側の空間１に向かわせるのは困難であるので、例えば、第１吹出しノズル１０から吹き出されるエアーカーテン気流ＡＫ１の８０％程度が側部３ｂの近傍から低温側の空間１に向かい、残りの２０％程度が外部に流出することになる。なお、このエアーカーテン気流ＡＫ１の流入出の割合は、側部３ｂの近傍から低温側の空間１に向かうエアーカーテン気流ＡＫ１を７０〜９０％程度に設定し、外部への流出を３０〜１０％程度に設定するのが好ましい。
【００２９】
このようなエアーカーテン装置Ａ２では、上部出入口３Ｈおいては、暖気処理部ＷＤの第１吸込口１１から高温側の空間２の暖気ＨＡを吸込み、この暖気ＨＡを第１吹出しノズル１０から吹き出すことによって形成される暖気によるエアーカーテン気流ＡＫ２が、上部出入口３Ｈを横断するとともに他方の側部３ｂの近傍から高温側の空間２に向かい、この暖気によるエアーカーテン気流ＡＫ２によって誘引される低温側の空間１の冷気によるエアーカーテン気流ＡＫ１は上部出入口３Ｈまたはその近傍を横断するとともに低温側の空間１に向かうので、冷気および暖気によるエアーカーテン効果を得ることができる。
また、上部出入口３Ｈの他方の側部３ｂの近傍において、冷気によるエアーカーテン気流ＡＫ１と暖気によるエアーカーテン気流ＡＫ２との間で、空気が滞留する乱流域Ｒが生じるので、この乱流域Ｒによって他方の側部３ｂの近傍においてエアーカーテン効果が生じる。
よって、上部出入口３Ｈにおいて暖気の内部流入の増大を抑制できる。
【００３０】
一方、下部出入口３Ｌにおいては、冷気処理部ＣＤの第１吸込口１１から低温側の空間１の冷気ＣＡを吸込み、この冷気ＣＡを第１吹出しノズル１０から吹き出すことによって形成される冷気によるエアーカーテン気流ＡＫ１が、下部出入口３Ｌを横断するとともに他方の側部３ｂの近傍から低温側の空間１に向かい、この冷気によるエアーカーテン気流ＡＫ１によって誘引される高温側の空間２の暖気によるエアーカーテン気流ＡＫ２は下部出入口３Ｌおよびその近傍を横断するとともに高温側の空間２に向かうので、冷気および暖気によるエアーカーテン効果を得ることができる。
また、下部出入口３Ｌの他方の側部３ｂの近傍において、冷気によるエアーカーテン気流ＡＫ１と暖気によるエアーカーテン気流ＡＫ２が遮られ、これら冷気によるエアーカーテン気流ＡＫ１と暖気によるエアーカーテン気流ＡＫ２との間で、空気が滞留する乱流域Ｒが生じるので、この乱流域Ｒによって他方の側部３ｂの近傍においてエアーカーテン効果が生じる。
よって、下部出入口３Ｌにおいて冷気の外部流出の増大を抑制できる。
【００３１】
また、出入口３の他方の側部３ｂには、ファン、吹出しノズル、吸込口等を設ける必要がないので、当該側部３ｂに配電盤１４等の電気部品を内蔵するための収納ケース（ケーシング１２）を設置できる。したがって、配電盤１４等の電気部品を内蔵できるエアーカーテン装置Ａ２を容易に提供できる。
【００３２】
（第３の実施の形態）
図３は第３の実施の形態のエアーカーテン装置Ａ３を示すもので、（ａ）はエアーカーテン装置Ａ３の正面図、（ｂ）は暖気処理部の平断面図、（ｃ）は冷気処理部の平断面図、（ｄ）は（ａ）におけるＡ−Ａ線断面図である。
【００３３】
本実施の形態のエアーカーテン装置Ａ３が前記エアーカーテン装置Ａ２と主に異なる点は、他方の前記側部３ｂに第２気流形成装置２５を設けた点であるので、以下ではこの点について詳しく説明し、第２の実施の形態と共通の構成には同一符号を付してその説明を省略ないし簡略化する。
【００３４】
エアーカーテン装置Ａ３は、出入口３の他方の側部３ｂに、暖気処理部ＷＤ用の第２気流形成装置２５と、冷気処理部ＣＤ用の第２気流形成装置２５とを備えている。なお、本実施の形態では冷気処理部ＣＤの方が暖気処理部ＷＤより上下の寸法が長くなっている。したがって、冷気処理部ＣＤに設けられたファン７の方が暖気処理部ＷＤに設けられたファン７より単位時間当たりの吹き出し風量が多くなっているが、吹出しノズル２０から吹き出される吹き出し速度は等しくなっている。また、第２気流形成装置２５の構成は、第１気流形成装置２１の構成とほぼ同一となっている。
【００３５】
暖気処理部ＷＤの第２気流形成装置２５では、側部３ｂに設けられたケーシング５ａの上部出入口３Ｈの内側を向く側面に、第２吹出しノズル２０と、第２吸込口２１とが設けられている。第２吹出しノズル２０は、第２吸込口２１より空間（冷蔵室）１側に設けられている。したがって、第２吸込口２１は、ケーシング５ａの上部出入口３Ｈの内側を向く側面のうち、空間（外部空間）２寄りに設けられ、第２吹出しノズル２０は、空間（冷蔵室）１寄りに設けられている。
そして、ファン７を回転させることによって、側部３ｂの近傍の空気（暖気）を第２吸込口２１からケーシング５ａの上部空間６ａに吸い込み、この空気を第２吹出しノズル２０から上部出入口３Ｈに向けて吹き出すようになっている。
【００３６】
一方、冷気処理部ＣＤの第２気流形成装置２５では、ケーシング５ａの下部出入口３Ｌの内側を向く側面には、第２吹出しノズル２０と、第２吸込口２１とが設けられている。第２吹出しノズル２０は、第２吸込口２１より空間（外部空間）２側に設けられている。したがって、第２吸込口２１は、ケーシング５ａの下部出入口３Ｌの内側を向く側面のうち、空間（冷蔵室）１寄りに設けられ、第２吹出しノズル２０は、空間（外部空間）２寄りに設けられている。
そして、ファン７を回転させることによって、側部３ｂの近傍の空気（冷気）を第２吸込口２１からケーシング５ａの下部空間６ｂに吸い込み、この空気を第２吹出しノズル２０から下部出入口３Ｌに向けて吹き出すようになっている。
【００３７】
暖気処理部ＷＤの第２吹出しノズル２０は、先端の吹出口から空気を平行に吹き出すが、この吹出された空気は、その流速が、前記第１吹出しノズル１０から吹き出されて形成されたエアーカーテン気流ＡＫ２の流速より小さいため、第２吸込口２１から吸い込まれ、再び第２吹出しノズル２０から吹き出されるという循環気流となり、前記側部３ｂの近傍において、平面視において空気が小さく回転循環するいわゆるショートサーキットＳを形成する。
また、第２吹出しノズル２０の空気の吹き出し方向は、出入口３の間口方向に対して空間（外部空間）２側に所定角度だけ傾ければよい。この傾き角度は出入口３の幅（間口）や吹き出し速度、吹き出し量等に応じて適宜設定される。
なお、第２吹出しノズル２０も前記第１吹出しノズル１０と同様に、鉛直軸まわりに正逆方向に回転可能に設けられ、これによって吹き出し方向を可変としている。第２吹出しノズル２０を回転させる場合、ステッピングモータ等によって自動制御で回転させるようにしてもよいし、手動で回転させるようにしてもよい。
【００３８】
冷気処理部ＣＤの第２吹出しノズル２０は、先端の吹出口から空気を平行に吹き出すが、この吹出された空気は、その流速が、前記第１吹出しノズル１０から吹き出されて形成されたエアーカーテン気流ＡＫ１の流速より小さいため、第１吸込口２１から吸い込まれ、再び第１吹出しノズル２０から吹き出されるという循環気流となり、前記側部３ｂの近傍において、平面視において空気が小さく回転循環するいわゆるショートサーキットＳを形成する。
また、第２吹出しノズル２０の空気の吹き出し方向は、出入口３の間口方向に対して空間（内部空間）１側に所定角度だけ傾ければよい。この傾き角度は出入口３の幅（間口）や吹き出し速度、吹き出し量等に応じて適宜設定される。
【００３９】
このようなエアーカーテン装置Ａ３では、第２の実施の形態のエアーカーテン装置Ａ２と同様に、上部出入口３Ｈにおいて暖気の内部流入の増大を抑制できるとともに、下部出入口３Ｌにおいて冷気の外部流出の増大を抑制できる。
また、上部出入口３Ｈにおいて、第２気流形成装置２５の第２吸込口２１から高温側の空間の暖気を吸込み、この暖気を第２吹出しノズル２０から吹き出すことによって、前記側部３ｂの近傍において、平面視において空気が小さく回転循環するいわゆるショートサーキットＳをより確実に生じさせることができ、また、下部出入口３Ｌにおいて、第２気流形成装置２５の第２吸込口２１から低温側の空間の冷気を吸込み、この冷気を第２吹出しノズル２０から吹き出すことによって、前記側部３ｂの近傍において、平面視において空気が小さく回転循環するいわゆるショートサーキットＳをより確実に生じさせることができる。
したがって、ショートサーキットＳによって他方の側部３ｂの近傍においてエアーカーテン効果が生じるので、第２の実施の形態に比して上部出入口３Ｈにおける暖気の内部流入や下部出入口３Ｌにおける冷気の外部流出の増大をより確実に抑制できる。
【００４０】
（第４の実施の形態）
図４は第４の実施の形態のエアーカーテン装置Ａ４を示すもので、（ａ）はエアーカーテン装置Ａ４の正面図、（ｂ）は暖気処理部を示すもので、（ａ）におけるＢ−Ｂ線断面図、（ｃ）は冷気処理部を示すもので、（ａ）におけるＣ−Ｃ線断面図、（ｄ）は（ａ）におけるＡ−Ａ線断面図である。
【００４１】
本実施の形態のエアーカーテン装置Ａ４が前記エアーカーテン装置Ａ３と主に異なる点は、暖気処理部ＷＤの構成であるので、以下ではこの点について詳しく説明し、第３の実施の形態と共通の構成には同一符号を付してその説明を省略ないし簡略化する。なお、本エアーカーテン装置Ａ４の冷気処理部ＣＤには、第３の実施の形態のような第２気流形成装置２５は設けられていない。
【００４２】
上部出入口３Ｈには暖気処理部ＷＤが設けられている。この暖気処理部ＷＤでは、前記天井板１３の代わりに、天井ケース３０が設けられており、この天井ケース３０と左右のケーシング５ａ，５ａとによって、エアーカーテン装置Ａ３は門形を形成している。
天井ケース３０は断面矩形状の中空ケースであり、左右方向の中央部に隔壁３０ａが設けられることで、天井ケース３０の内部空間が左空間３１ａと右空間３１ｂとに区画されている。
【００４３】
暖気処理部ＷＤは、高温側の空間２から暖気ＨＡを吸い込む上部吸込口３５と、この上部吸込口３５によって吸い込まれた暖気を上方から下方に向けて吹き出すことによって上部エアーカーテン気流ＡＫ３を形成する上部吹出しノズル３６とを備えた左右一対の気流形成装置２５Ａ，２５Ａを有している。気流形成装置２５Ａは、前記天井ケース３０とケーシング５ａの上部とを含んで構成され、上部吸込口３５は、天井ケース３０の底面に設けられている。この上部吸込口３５は天井ケース３０の長手方向に延在する細長い矩形の開口であり、前記左空間３１ａと右空間３１ｂとにそれぞれ開口している。
なお、上部吸込口３５は天井ケース３０の底面に代えて、ケーシング５ａの上部出入口３Ｈ側を向く側壁に形成してもよい。
【００４４】
上部吹出しノズル３６は、天井ケース３０の底部に設けられている。この上部吹出しノズル３６は、先端の吹出口から暖気を平行に下方に向けて吹き出すことによって、上部出入口３Ｈを下方に縦断する暖気によるエアーカーテン気流ＡＫ３を形成するようになっている。
上部吹出しノズル３６の暖気の吹き出し方向は、エアーカーテン気流ＡＫ３が、上部出入口３Ｈを縦断するとともに上部出入口３Ｈの下端部の近傍から高温側の空間２に向かうように設定されている。
【００４５】
上部吹出しノズル３６によってエアーカーテン気流ＡＫ３を形成するには、上部吹出しノズル３６の空気の吹き出し方向を、上部出入口３Ｈの高さ方向に対して空間（室内空間）２側に所定角度だけ傾ければよい。この傾き角度は上部出入口３Ｈの高さや吹き出し速度、吹き出し量等に応じて適宜設定される。
このため上部吹出しノズル３６は、水平軸まわりに正逆方向に回転可能に設けられ、これによって吹き出し方向を可変としている。上部吹出しノズル３６を回転させる場合、モータ等によって自動制御で回転させるようにしてもよいし、手動で回転させるようにしてもよい。
【００４６】
ケーシング５ａの上部空間６ａには、それぞれモータで回転するファン７が隔壁８に取り付けられることによって設けられている。この隔壁８は、図４（ｂ）に示すように、上部空間６ａを平面視において前後に区画するものであり、ファン７を回転させることによって、隔壁８より前側（空間２側）の空間８ａは陰圧となり、後側（空間１側）の空間８ｂは陽圧となる。
そして、ファン７を回転させることによって、上部吸込口３５から空気（暖気）が天井ケース３０内の左右の空間３１ａ，３１ｂに吸い込まれ、上部吹出しノズル３６から吹き出されるようになっている。
【００４７】
すなわち、天井ケース３０には、図４（ｄ）に示すように、隔壁３０ｂが設けられており、この隔壁３０ｂより空間２側の内部空間３０ｃと前記空間８ａが連通し、隔壁３０ｂより空間１側の内部空間３０ｄと前記空間８ｂとが連通している。したがって、ファン７を回転させることによって、空間８ａおよび内部空間３０ｃが陰圧となり、これによって、上部吸込口３５から空気（暖気）が内部空間３０ｃおよび空間８ａに吸い込まれるようになっており、この吸い込まれた空気はファン７により前記空間８ｂおよび内部空間３０ｄに供給されることで、この内部空間３０ｄが陽圧となり、この内部空間３０ｄに設けられた上部吹出しノズル３６から下方に向けて吹き出されるようになっている。
このように、上部出入口３Ｈにおいては、上部吸込口３５から高温側の空間２の暖気を吸込み、この暖気を上部吹出しノズル３６によって上方から下方に向けて吹き出すことによって上部エアーカーテン気流ＡＫ３が形成される。
【００４８】
また、冷気処理部ＣＤでは、第２の実施の形態のエアーカーテン装置Ａ２と同様に、左側のケーシング５ａの下部出入口３Ｌの内側を向く側面に、第１吹出しノズル１０と、第１吸込口１１とが設けられている。第１吹出しノズル１０は、第１吸込口１１より空間（室内空間）２側に設けられている。したがって、第１吸込口１１は、ケーシング５ａの下部出入口３Ｌの内側を向く側面のうち、空間（冷蔵空間）１寄りに設けられ、第１吹出しノズル１０は、空間（内部空間）２寄りに設けられている。
そして、ファン７を回転させることによって、空間１の冷気を第１吸込口１１からケーシング５ａの下部空間６ｂに吸い込み、この冷気を第１吹出しノズル１０から下部出入口３Ｌに向けて吹き出すようになっている。
【００４９】
また、冷気処理部ＣＤの第１吹出しノズル１０は、先端の吹出口から冷気を平行に吹き出すことによって、下部出入口３Ｌを横方向に横断する冷気によるエアーカーテン気流ＡＫ１を形成するようになっている。
第１吹出しノズル１０の冷気の吹き出し方向は、エアーカーテン気流ＡＫ１が、下部出入口３Ｌを横断するとともに下部出入口３Ｌの他方の側部３ｂの近傍から低温側の空間１に向かうように設定されている。
ここで冷気によるエアーカーテン気流ＡＫ１の全てを低温側の空間１に向かわせるのは困難であるので、例えば、第１吹出しノズル１０から吹き出されるエアーカーテン気流ＡＫ１の８０％程度が側部３ｂの近傍から低温側の空間１に向かい、残りの２０％程度が外部に流出することになる。なお、このエアーカーテン気流ＡＫ１の流入出の割合は、側部３ｂの近傍から低温側の空間１に向かうエアーカーテン気流ＡＫ１を７０〜９０％程度に設定し、外部への流出を３０〜１０％程度に設定するのが好ましい。
【００５０】
また、左側のケーシング５ａの下部空間６ｂには、ファン７やその他の電気設備用の配電盤１４が設けられている。
【００５１】
このようなエアーカーテン装置Ａ４では、上部出入口３Ｈにおいて、暖気処理部ＷＤの上部吸込口３５から高温側の空間２の暖気ＨＡを吸込み、この暖気ＨＡを上部吹出しノズル２０によって上方から下方に向けて吹き出すこと形成される上部エアーカーテン気流ＡＫ３によって、暖気の内部流入の増大を抑制できる。
また、上部エアーカーテン気流ＡＫ３は、上方から下方に向けて吹き出されることによって形成されるので、上部出入口３Ｈの幅（間口の幅）が大きくなっても、上部出入口３Ｈの下端部での上部エアーカーテン気流ＡＫ３の減速は少なく、このため暖気の内部流入の増大を抑制できる。
【００５２】
また、下部出入口３Ｌにおいては、冷気処理部ＣＤの第１吸込口１１から低温側の空間１の冷気を吸込み、この冷気を第１吹出しノズル１０から吹き出すことによって形成される冷気によるエアーカーテン気流ＡＫ１が、下部出入口３Ｌを横断するとともに他方の側部３ｂの近傍から低温側の空間１に向かい、この冷気によるエアーカーテン気流ＡＫ１によって誘引される高温側の空間２の暖気によるエアーカーテン気流ＡＫ２は下部出入口３Ｌまたはその近傍を横断するとともに高温側の空間２に向かうので、冷気および暖気によるエアーカーテン効果を得ることができる。
また、下部出入口３Ｌの他方の側部３ｂの近傍において、冷気によるエアーカーテン気流ＡＫ１と暖気によるエアーカーテン気流ＡＫ２が遮られ、これら冷気によるエアーカーテン気流ＡＫ１と暖気によるエアーカーテン気流ＡＫ２との間で、空気が滞留する乱流域Ｒが生じるので、この乱流域Ｒによって前記他方の側部においてエアーカーテン効果が生じる。
よって、下部出入口３Ｌにおいて冷気の外部流出の増大を抑制できる。
【００５３】
また、また、下部出入口３Ｌの他方の側部３ｂには、ファン、吹出しノズル、吸込口等を設ける必要がないので、当該側部３ｂに配電盤１４等の電気部品を内蔵するための収納ケース（ケーシング５ａ）を設置できる。したがって、配電盤１４等の電気部品を内蔵できるエアーカーテン装置Ａ４を容易に提供できる。
【００５４】
（第５の実施の形態）
図５は第５の実施の形態のエアーカーテン装置Ａ５を示すもので、（ａ）はエアーカーテン装置Ａ４の正面図、（ｂ）は冷気処理部を示すもので、（ａ）におけるＣ−Ｃ線断面図、（ｃ）は（ａ）におけるＡ−Ａ線断面図である。
【００５５】
本実施の形態のエアーカーテン装置Ａ５が前記エアーカーテン装置Ａ４と主に異なる点は、下部出入口３Ｌの他方の側部３ｂに第２気流形成装置２５を設けた点であるので、以下ではこの点について詳しく説明し、第４の実施の形態と共通の構成には同一符号を付してその説明を省略ないし簡略化する。
【００５６】
エアーカーテン装置Ａ５では、下部出入口３Ｌの他方の側部３ｂに、第２気流形成装置２５を備えている。なお、本実施の形態では冷気処理部ＣＤの方が暖気処理部ＷＤより上下の寸法が長くなっている。また、下部空間６ｂにファン７は上下に２個設けられている。
【００５７】
冷気処理部ＣＤの第２気流形成装置２５では、右側のケーシング５ａの下部出入口３Ｌの内側を向く側面に、第２吹出しノズル２０と、第２吸込口２１とが設けられている。第２吹出しノズル２０は、第２吸込口２１より空間（外部空間）２側に設けられている。したがって、第２吸込口２１は、ケーシング５ａの下部出入口３Ｌの内側を向く側面のうち、空間（内部空間）１寄りに設けられ、第２吹出しノズル２０は、空間（外部空間）２寄りに設けられている。
そして、ファン７を回転させることによって、側部３ｂの近傍の空気（冷気）を第２吸込口２１からケーシング５ａの下部空間６ｂに吸い込み、この空気を第２吹出しノズル２０から下部出入口３Ｌに向けて吹き出すようになっている。
【００５８】
第２吹出しノズル２０は、先端の吹出口から空気を平行に吹き出すが、この吹出された空気は、その流速が、前記第１吹出しノズル１０から吹き出されて形成されたエアーカーテン気流ＡＫ１の流速より小さいため、第１吸込口２１から吸い込まれ、再び第１吹出しノズル２０から吹き出されるという循環気流となり、前記側部３ｂの近傍において、平面視において空気が小さく回転循環するいわゆるショートサーキットＳを形成する。
また、第２吹出しノズル２０の空気の吹き出し方向は、出入口３の間口方向に対して空間（内部空間）１側に所定角度だけ傾ければよい。この傾き角度は出入口３の幅（間口）や吹き出し速度、吹き出し量等に応じて適宜設定される。
【００５９】
このようなエアーカーテン装置Ａ５では、第４の実施の形態のエアーカーテン装置Ａ４と同様に、上部出入口３Ｈにおいて、暖気処理部ＷＤの上部吸込口３５から高温側の空間２の暖気ＨＡを吸込み、この暖気ＨＡを上部吹出しノズル２０によって上方から下方に向けて吹き出すこと形成される上部エアーカーテン気流ＡＫ３によって、暖気の内部流入の増大を抑制できる。
また、上部エアーカーテン気流ＡＫ３は、上方から下方に向けて吹き出されることによって形成されるので、上部出入口３Ｈの幅（間口の幅）が大きくなっても、上部出入口３Ｈの下端部での上部エアーカーテン気流ＡＫ３の減速は少なく、このため暖気の内部流入の増大を抑制できる。
【００６０】
また、下部出入口３Ｌにおいて、第２気流形成装置２５の第２吸込口２１から低温側の空間の冷気を吸込み、この冷気を第２吹出しノズル２０から吹き出すことによって、前記側部３ｂの近傍において、平面視において空気が小さく回転循環するいわゆるショートサーキットＳをより確実に生じさせることができる。
したがって、ショートサーキットＳによって他方の側部３ｂの近傍においてエアーカーテン効果が生じるので、第４の実施の形態に比して下部出入口３Ｌにおける冷気の外部流出の増大をより確実に抑制できる。
【００６１】
（第６の実施の形態）
図６は第６の実施の形態のエアーカーテン装置Ａ６を示すもので、（ａ）はエアーカーテン装置Ａ６の正面図、（ｂ）は（ａ）におけるＡ−Ａ線断面図である。
【００６２】
本実施の形態のエアーカーテン装置Ａ６が前記エアーカーテン装置Ａ４，Ａ５と主に異なる点は、冷気処理部ＣＤの構成であるので、以下ではこの点について詳しく説明し、第４および第５の実施の形態と共通の構成には同一符号を付してその説明を省略ないし簡略化する。
【００６３】
冷気処理部ＣＤは以下のように構成されている。
すなわち、左側のケーシング５ａの下部空間６ｂの上端部にはファン７が設けられ、右側のケーシング５ａの下部空間６ｂの下端部にはファン７が設けられている。また、左側のケーシング５ａの下部出入口３Ｌ側を向く側面には吹出しノズル４０が設けられ、この吹出しノズル４０の下側に吸込口４１が設けられている。吸込口４１は空間２側寄りに設けられており、吹出しノズル４０は空間１側寄りに設けられている。同様に、右側のケーシング５ａの下部出入口３Ｌ側を向く側面には、吹出しノズル４０が設けられ、この吹出しノズル４０の上側に吸込口４１が設けられている。吸込口４１は空間１側寄りに設けられており、吹出しノズル４０は空間２側寄りに設けられている。
また、左側のケーシング５ａの吹出しノズル４０と右側のケーシング５ａの吸込口４１とが下部出入口３Ｌを挟んで対向しており、右側のケーシング５ａの吹出しノズル４０と左側のケーシング５ａの吸込口４１とが下部出入口３Ｌを挟んで対向している。
【００６４】
このようなエアーカーテン装置Ａ６の冷気処理部ＣＤでは、ファン７，７を回転させることにより、吹出しノズル４０から吹き出された空気は下部出入口３Ｌを横断してエアーカーテン気流ＡＫ４を形成する。また、このエアーカーテン気流ＡＫ４は、対向側の吸込口４１から吸い込まれ、下部空間６ｂを通って吹出しノズル４０から吹き出され、この吹き出された空気は下部出入口３Ｌを横断してエアーカーテン気流ＡＫ４を形成する。
このように、冷気処理部ＣＤでは、エアーカーテン気流ＡＫ４によって循環気流が形成されるので、冷気の外部流出の増大を抑制できる。
また、前記エアーカーテン装置Ａ４，Ａ５と同様に、上部エアーカーテン気流ＡＫ３によって、暖気の内部流入の増大を抑制できる。
【符号の説明】
【００６５】
Ａ１〜Ａ６  エアーカーテン装置
ＡＫ１  冷気によるエアーカーテン気流
ＡＫ２  暖気によるエアーカーテン気流
ＡＫ３  暖気によるエアーカーテン気流
ＣＡ  冷気
ＨＡ  暖気
ＷＤ  暖気処理部
ＣＤ  冷気処理部
ＣＡ  冷気
ＨＡ  暖気
１，２  空間
３  出入口
３Ｈ  上部出入口
３Ｌ  下部出入口
５  第１気流形成装置
７  ファン
１０  第１吹出しノズル
１１  第１吸込口
２０  第２吹出しノズル
２１  第２吸入口
２５  第２気流形成装置
３５  上部吸入口
３６  上部吹出しノズル
【図１】
0006303035.tif 000002
【図２】
0006303035.tif 000003
【図３】
0006303035.tif 000004
【図４】
0006303035.tif 000005
【図５】
0006303035.tif 000006
【図６】
0006303035.tif 000007